(57)【要約】本発明は、３Ｄ視覚効果を生成する機器を提案する。本機器は、制御された発煙器（１０）であって、人工発煙器と、発煙器によって生成される煙を指向的に推進する手段とを備え、一定の方向に伸長された煙の線を形成する発煙器（１０）と、制御された発光器（２０）であって、１または複数の光線を煙の線内に伸長方向に沿って生成することに適しており、１または複数の光線は基本的に煙の線に含有される発光器（２０）とを組み合わせて備えることを特徴とする。特に、「ライトセーバー」視覚効果の生成に対して適用され、より一般には、様々な三次元光効果に適用される。【選択図】図１
2020513964.tif 000002
【特許請求の範囲】
【請求項１】
３Ｄ視覚効果を生成する機器であって、
制御された発煙器（１０）であって、人工発煙器と、前記発煙器によって生成される煙を指向的に推進する手段とを備え、一定の方向に伸長された煙の線を形成する発煙器（１０）と、
制御された発光器（２０）であって、１または複数の光線を前記煙の線内に伸長方向に沿って生成可能であり、前記１または複数の光線は基本的に前記煙の線に含有される発光器（２０）と、
を組み合わせて備えることを特徴とする、機器。
【請求項２】
請求項１に記載の機器であって、前記人工発煙器（１０）はノズル（１１）を備え、前記ノズル（１１）は加熱手段（１２）を有し、加熱されると濃い煙を形成可能な液体物質が供給される、機器。
【請求項３】
請求項２に記載の機器であって、前記ノズルは、前記液体物質の緩衝貯蔵領域を形成可能な繊維状の管状要素を備える、機器。
【請求項４】
請求項３に記載の機器であって、前記加熱手段（１２）は、前記繊維状の管状要素を囲む抵抗素線を備える、機器。
【請求項５】
請求項４に記載の機器であって、前記抵抗素線は、前記繊維状の管状要素に機械的に結合できるように、前記繊維状の管状要素を保持する、機器。
【請求項６】
請求項２から請求項５のいずれか１つに記載の機器であって、前記ノズルおよび前記加熱手段は、一般に気密であり、端部が閉鎖したスリーブ（１１２）によって囲まれる、機器。
【請求項７】
請求項１から請求項６のいずれか１つに記載の機器であって、前記推進する手段はタービン（１７）を備える、機器。
【請求項８】
請求項７に記載の機器であって、前記タービンは軸の周りを回転し、前記軸は一般に、前記ノズル（１１）の軸と重なる、機器。
【請求項９】
請求項８に記載の機器であって、前記推進する手段は、前記タービン流を集中させるための装置（１８）を備える、機器。
【請求項１０】
請求項９に記載の機器であって、前記集中させるための装置（１８）は、一般に一定の外部幅と可変の内部幅とを有する環状通路を画定することを特徴とする、機器。
【請求項１１】
請求項１から請求項１０のいずれか１つに記載の機器であって、前記発光器（２０）は少なくとも１つの固定光源を備える、機器。
【請求項１２】
請求項１から請求項１１のいずれか１つに記載の機器であって、前記発光器（２０）は、可動要素（２１）に取り付けられた少なくとも１つの光源を備える、機器。
【請求項１３】
請求項１２に記載の機器であって、前記可動要素は、電気モータによって駆動される回転部材（２１）を備える、機器。
【請求項１４】
請求項１３に記載の機器であって、前記少なくとも１つの光源は前記回転部材の回転と同時に強度制御される、機器。
【請求項１５】
請求項１３または１４に記載の機器であって、前記回転部材（２１）は毎秒約１０回転より高い回転速度で駆動される、機器。
【請求項１６】
請求項１から請求項１５のいずれか１つに記載の機器であって、前記発光器は、集光のための少なくとも１つの光学要素（２４）を備えることを特徴とする、機器。
【請求項１７】
請求項１から請求項１６のいずれか１つに記載の機器であって、前記発光器は、発光ダイオード型の前記少なくとも１つの光源を備える、機器。
【請求項１８】
請求項１から請求項１７のいずれか１つに記載の機器であって、前記発光器は、レーザダイオード型の前記少なくとも１つの光源を備える、機器。
【請求項１９】
請求項１から請求項１８のいずれか１つに記載の機器であって、前記発煙器（１０）および前記発光器（２０）を動的に制御可能な制御部（５０）を備える、機器。
【請求項２０】
請求項１９に記載の機器であって、前記制御部（５０）は以下のパラメータ、
−人工煙濃度、
−人工煙推進、
−光の色、
−光の強度、
−光の運動、
のすべてまたは一部を制御可能であることを特徴とする、機器。
【請求項２１】
ノズル（１１）を備える人工発煙装置であって、前記ノズル（１１）は加熱手段（１２）を備え、加熱されると濃い煙を形成可能な液体物質を供給され、前記ノズルは、前記液体物質のための緩衝貯蔵領域を形成可能な繊維状の管状要素を備えることを特徴とする、装置。
【請求項２２】
請求項２１に記載の装置であって、前記加熱手段（１２）は、前記繊維状の管状要素を囲む抵抗素線を備える、装置。
【請求項２３】
請求項２２に記載の装置であって、前記抵抗素線は前記繊維状の管状要素を保持し、そのため、前記繊維状の管状要素への機械的結合に役立つ、装置。
【請求項２４】
請求項２１から請求項２３のいずれか１つに記載の装置であって、前記ノズルおよび前記加熱手段は、一般に気密であり、端部が閉鎖したスリーブ（１１２）によって囲まれる、装置。
【発明の詳細な説明】
【技術分野】
【０００１】
本発明は一般に、３Ｄ光パターンを生成するための機器の分野に関する。特に、特殊効果、ゲーム、ショーなどのための「ライトセーバー」型の模造の光の武器を再生するための装置に関与する。
【背景技術】
【０００２】
特許文献１から、液体を供給して蒸発させるぜん動ポンプをポンプとして用いる発煙器が既知である。
【０００３】
特許文献２から、発煙器が既知である。主な欠点は寸法が大きいことである。そのため、同発煙器はかさばり、持ち運びできない。また、同発煙器はメイン電源に接続する必要があるため、様々な場所で使用するノマド的な使用ができない。
【０００４】
特許文献３からも発煙器が既知である。同発煙器によって、映写機にやはり結合することなく、煙のパラメータを利用することができる。
【０００５】
特許文献４から、煙製造システムを光源と関連づける携帯装置が既知であるが、これは相互関係のない２つの別個の機器からなる。
【０００６】
最後に、特許文献５、特許文献６および特許文献７から、同一のハウジング内で発煙器と発光器を関連づける装置が既知であるが、発煙器と発光器の間に特定の相互関係はない。
【先行技術文献】
【特許文献】
【０００７】
【特許文献１】国際公開第２００６０６４１９０Ａ１号
【特許文献２】国際公開第２０１４０３０９８７Ａ１号
【特許文献３】欧州特許公開第２８３７９８７Ａ２号
【特許文献４】国際公開第２０１３０４９９０１Ａ１号
【特許文献５】フランス国特許公開第２６７１８７１Ａ１号
【特許文献６】フランス国特許公開第２７９４９９０Ａ１号
【特許文献７】米国特許公開第２０１５／１０５１６７Ａ１号
【発明の概要】
【０００８】
本発明は一般に、特に期待される方法で、１または複数の光源の投影媒体として、限定的な幾何学的空間を有する人工煙空間を画定することによって、３Ｄ視覚効果を具体化できるように試みる。
【０００９】
したがって、本発明による３Ｄ視覚効果を生成する機器が提示される。本機器は、
制御された発煙器であって、人工発煙器と、発煙器によって生成される煙を指向的に推進する手段とを備え、一定の方向に伸長された煙の線を形成する発煙器と、
制御された発光器であって、１または複数の光線を煙の線内に伸長方向に沿って生成可能であり、１または複数の光線は基本的に煙の線に含有される発光器と、
を組み合わせて備えることを特徴とする。
【００１０】
本機器は任意に、個別に、または当業者が技術的に互換であると考えるであろう任意の組み合わせにおいて、以下の追加の特徴をさらに備える。
−人工発煙器はノズルを備え、ノズルは加熱手段を有し、加熱されると濃い煙を形成可能な液体物質が供給される。
−ノズルは液体物質の緩衝貯蔵領域を形成可能な繊維状の管状要素を備える。
−加熱手段は繊維状の管状要素を囲む抵抗素線を備える。
−抵抗素線は、繊維状の管状要素に機械的に結合できるように、繊維状の管状要素を保持する。
−ノズルおよび加熱手段は、一般に気密であり、端部が閉鎖したスリーブによって囲まれる。
−推進する手段はタービンを備える。
−タービンは軸の周りを回転し、軸は一般に、ノズルの軸と重なる。
−推進する手段はタービン流を集中させるための装置を備える。
−集中させるための装置は一般に、一定の外部幅と可変の内部幅とを有する環状通路を画定する。
−発光器は少なくとも１つの固定光源を備える。
−発光器は可動要素に取り付けられた少なくとも１つの光源を備える。
−可動要素は電気モータによって駆動される回転部材を備える。
−１または複数の光源は回転部材の回転と同時に強度制御される。
−回転部材は毎秒約１０回転より高い回転速度で駆動される。
−発光器は集光のための少なくとも１つの光学要素を備える。
−発光器は発光ダイオード型の少なくとも１つの光源を備える。
−発光器はレーザダイオード型の少なくとも１つの光源を備える。
−機器は発煙器および発光器を動的に制御可能な制御部を備える。
−制御ユニットは、以下のパラメータのすべてまたは一部を制御可能である。
−人工煙濃度、
−人工煙推進、
−光の色、
−光の強度、
−光の運動。
【００１１】
本発明は、画定される蒸気容積（一般にグリセロール蒸気）を通じて、この空間上に、正確かつ非常に見やすい様式で３Ｄ画像を提供する。１または複数の光源の移動によって（ならびに光の強度および色の制御が含まれる場合もある）、円筒形、円錐形、光線、ピラミッド形、または炎などのより複雑な形状の３Ｄの形状が表される。異なる色の光源を用いることによって、本機器は多色の視覚効果を生成することができ、多色の視覚効果が混合されると、色のスペクトルが実現する。
【００１２】
本発明による機器は小型であり、持ち運び可能、および携帯可能であってもよい。
【００１３】
ユーザ体験は、音声システムおよびフォースフィードバック効果を実現する振動するモータを用いることによって、向上される。
【００１４】
別の態様によると、本発明による人工発煙装置が提供される。人工発煙装置は、加熱手段を有するノズルを備える。ノズルには加熱されると濃い煙を形成可能な液体物質が提供される。ノズルは、液体物質のための緩衝貯蔵領域を形成可能な繊維状の管状要素を備えることを特徴とする。
【００１５】
本装置の追加の態様は以下の通りである。
―加熱手段は繊維状の管状要素を囲む抵抗素線を備える。
−抵抗素線は繊維状の管状要素を保持し、そのため、繊維状の管状要素への機械的結合に役立つ。
−ノズルおよび加熱手段は、一般に気密であり、端部が閉鎖したスリーブによって囲まれる。
【００１６】
本発明のその他の態様、目的および有利点は、非限定的例として提示し、添付請求項を参照して以下に記載する本発明の好ましい実施形態の詳細な説明から、より明らかになるであろう。
【図面の簡単な説明】
【００１７】
【図１】本発明の実施形態による機器の主要構成部品の全体線図および軸方向分解組立図である。
【図２】機器の全体図である。
【図３】図１および２の装置に設けられる煙誘導装置の側面立面図である。
【図４Ａ】図３の装置の分解組立斜視図である。
【図４Ｂ】図３の装置を別の視点から見た分解組立斜視図である。
【図５】図１に類似する全体線図であり、図３、４Ａおよび４Ｂの誘導装置を備える。
【図６】本機器のノズルの具体的な実施形態の詳細の拡大図である。
【発明を実施するための形態】
【００１８】
図１をまず参照すると、本発明による３Ｄ照明効果生成機器は、まず発煙装置１０を備える。発煙装置１０は、加熱電気抵抗器１２によって囲まれるノズル１１を備える。
【００１９】
抵抗器１２によって生成される熱によって、グリセロールを蒸発させることができる。有利には、この抵抗器は、２から３オーム／メートルほどの電気抵抗を有する抵抗素線からなり、ノズル１１に、１８０℃から２５０℃程度の温度を発生させることができる。この温度は好ましくは調整可能である。抵抗器は中央装置５０によって駆動される。中央装置５０はマイクロコントローラによって駆動される電子基板の形であり、後で説明する。アセンブリは充電可能なバッテリ６０を電源とする。
【００２０】
中央装置５０での制御によって加熱温度を変化させることによって、所望する視覚効果に応じて、グリセロール蒸気の濃度は変動される。この制御は基本的な実施形態において、選択的に抵抗器１２の電源を投入および遮断する、制御されたスイッチのみによって行うことができる。提供された電力もまた、パルス幅変調ＰＷＭなどによって抵抗器の電源電圧を変動することによって、調整可能である。
【００２１】
例示していない様式で、抵抗器１２は、たとえばミネラルウール型の断熱材で囲まれる。アセンブリは、たとえば穴のあいた金属製のシースなどの剛性シースによって保護される。穴のあいた金属製のシースを通じて、加熱によって生成されたグリセロール蒸気はおおよそ濃い煙の形状で存在可能である。
【００２２】
発煙装置１０はさらに、タービン１７を備える。タービン１７は生成されたグリセロール蒸気を推進することを目的とし、中央装置３０によって駆動される。タービンの回転速度を調整することによって、所望する視覚効果に応じて、煙はノズル１１から、不変または可変の様式で可変距離まで推進可能である。
【００２３】
ノズル１１は耐熱性を有するように金属からなり、たとえばシリコーンからなる導管１３によって、グリセロール分配ポンプ１４に接続される。グリセロール分配ポンプ１４は別の導管１５によって、充填が可能となるようにキャップ（不図示）を備えるグリセロール貯蔵庫１６に接続される。
【００２４】
ポンプ１４は中央装置５０から駆動され、ノズル１１に貯蔵庫１６からグリセロールを供給することができる。この駆動は、取得を希望する視覚効果に応じてノズル１１に所望する蒸気濃度を生成するために、抵抗器１２による加熱と協調した様式で実施される。
【００２５】
ポンプは好ましくは、ぜん動ポンプまたはピストンポンプであるが、その他の種類のポンプも当然のことながら使用可能である。
【００２６】
粘度および周知の物理化学特性によって、加熱されると場合によっては非常に濃い煙を生成するグリセロールが選択された。グリセロールは毒性がなく、特に製薬業界で広範に用いられている。類似する特性を持つその他の物質も当然のことながら使用可能である。
【００２７】
装置はさらに発光器２０を備える。装置２０は回転板２１を備える。回転板２１には、好ましくは発光ダイオードＬＥＤ型またはレーザダイオード型の１または複数の光源２２が取り付けられる。
【００２８】
レーザダイオード型の選択は、所要の光強度および潜在的な規制の制約により行われる。
【００２９】
各光源は、おおよそ一点に集まる光線を生成する。
【００３０】
回転板２１は心棒（不図示）でギアモータ２３によって駆動される。ギアモータ２３は中央装置５０によって駆動され、それによって、機器の一般的な軸に対応する軸上で、好ましくは調整可能な速度で回転可能となる。
【００３１】
この速度は一般に、毎秒１０から３０回転の間であり、取得される視覚効果は、人間の目の持続性のおかげで安定して見える。一変形では、別の種類の視覚効果を得るために、より遅い運動および／または不規則な運動を提供することもできる。
【００３２】
光生成装置はさらに、１または複数のレンズからなる光学アセンブリ２４を備える。光学アセンブリ２４は、光源によって生成された光線（または複数の光源によって生成された光線）を煙が排出される機器の領域（ノズル１１領域）に向けるように意図される。好ましくは、光学アセンブリ２４から出る各光線は細い光線であり、鋭い縁部を有する。それによって、光が煙の中を通る際の光と煙の協働によって、（特に煙強度、推進される距離、光の強度、光源によって変化可能な場合は光の色などに依存して）拡散しすぎた光によって得られるであろう単一の光輪よりも、様々な視覚効果を生成することができる。
【００３３】
機器はさらに、音声発生装置３０を備える。音声発生装置３０は、ラウドスピーカ３１またはその他の音響変換器を備える。音声発生は好ましくは中央装置ＸＸで実施される。機器はまた、（ゲームおよびおもちゃ分野では「フォースフィードバック」機構として既知である）機械式振動発生器４０を備え、それによって（たとえば図１には不図示の機器のハンドルに）機器の一定の運動と関連する機械的行為を伝える。
【００３４】
有利には、機器はさらに、モーションセンサを備える。モーションセンサ（一般に慣性ユニットまたは加速度計のセット）は、非明示的に示す様式で、好ましくは中央装置５０の電子基板に組み込まれる。
【００３５】
中央装置５０は、前述の通り、導電体５１〜５７のセットを介して前述のすべての要素に接続することによって、前述のすべての要素を駆動する。
【００３６】
バッテリ６０は、有利には適切な電圧および容量を有するリチウムイオン型のバッテリである。
【００３７】
図２は本発明による機器Aの全体図である。
【００３８】
前述のすべての要素は、機器のハンドルＰに収容される。一変形では、一定の要素はハンドルＰなどに収容され、特に発煙器のノズル１１およびタービンは、ハンドルＰの延長である部分Ｐ’に収容される。
【００３９】
この部分Ｐ’に形成される開口Ｏによって人工煙ＦＳが排出され、柱が形成される。柱を通じて１または複数の光線ＦＬが進む。光線ＦＬは回転板２１によって移動され、本事例では光の円筒形となる視覚効果を示す。
【００４０】
機器の操作を以下で説明する。
【００４１】
始動段階中に、ノズル１１の加熱装置１２は一定期間、一般に２、３秒加熱される。その間ポンプ１４はグリセロールを供給するために起動される。
【００４２】
充分な量の煙がノズル１１から排出されると、光源２２は電源が投入され、ギアモータ２３によって移動される。その間、タービン１７は煙の推進を開始し、制御された距離まで柱ＦＳを形成し、それによって、３Ｄ画像が光線によって実体化する蒸気の膜が形成される。
【００４３】
安定した操作では、加熱装置１２、ポンプ１４、タービン１７および光源を駆動することによって（ギアモータ２３による動作において、および適用される場合は色および／または強度において）、広範に変動する視覚効果が得られる。
【００４４】
ここで図３、４Ａおよび４Ｂを参照すると、発煙装置の追加の要素が示される。追加の要素は、一般に管状の外部要素１８１および内部要素１８２から形成されるガイド１８を含む。内部要素１８２の幅は、例示する輪郭のように好ましくは、タービン１７に隣接する入り口領域から出口領域に向かって徐々に増加するが、これに限定されない。一般に一定の外部幅および可変内部幅の環状通路Ｃはこのように画定される。放射状に配向されるスペーサ１８３によって、軸に沿った流れを運びながら、要素１８１、１８２の軸対軸の配置が可能になる。
【００４５】
このガイドによって、ガイドの出口で環状の断面の積層流を生成可能であることが理解されよう。このような積層流によって、煙の柱ＦＳが得られることが分かっている。柱ＦＳは、基本的に一定の幅を保ち、長距離にわたって基本的に同質であり、（平行光線のセットが板２１の軸の周りを回転することと合わせて）特に現実的な「ライトセーバー」型の視覚効果が得られる。本実施形態では、発光器２０は、良好な小型化を実現するために、ガイド１８によって画定される内部空間内に収容される。煙はガイド１８の周囲から発光器２０を囲むリングの形で排出される。
【００４６】
図５は図１と類似する図であり、本変形によれば誘導装置が組み込まれている。本図では、図１の要素と同一な部品の要素は同一の符号で指定され、再度説明はしない。
【００４７】
本実施形態において、誘導装置１８は、グリセロール蒸気が製造されるノズル１１の下流に配置され、発光器２０は誘導装置下流に配置されることが分かる。
【００４８】
図６では、本発明によるノズル構造の拡大図が示される。
【００４９】
ノズル１１は、抵抗素線１２によって囲まれる繊維ガラス管１１０を備え、加熱電気抵抗器を形成する。繊維ガラス管は一定の多孔性を示す。それによって、液体グリセロールは、ポンプ１４によってグリセロールが供給される管１１０の内部から、抵抗素線１２の影響下で煙が形成される外部に向かって、放射状方向に移動できる。管１１０のこの多孔性によって、管１１０はグリセロールの少量の緩衝貯蔵となり、煙の製造を規制する。
【００５０】
このグリセロールの少量の貯蔵は、ガラス繊維内部の毛管現象によって保持され、さらに、温度上昇にしたがって増加するグリセロールの蒸発によって抵抗素線の温度を安定させ、したがって液体グリセロールの自己燃焼の危険性を低減する。実際に、（グリセロールを保持しない）乾燥したノズルを用いると、抵抗素線は極度に加熱し、グリセロールが到着するとき、過剰に加熱された抵抗器とグリセロールとの最初の接触によって、グリセロールが発火することもある。
【００５１】
シース１１０は１１１の上端部で閉鎖し、グリセロールは制約されて放射状に抵抗素線１２に向かって循環する。
【００５２】
ノズルはさらに、好ましくは金属からなる外部シース１１２を備える。外部シース１１２内には、閉鎖された管１１０および抵抗素線１２が収容される。シース１１２は自由端で開口し（図の上部）、煙がタービン１７に向かって排出される。このシース１１２によってさらに、管１１０を囲む空気の容積を制限することができ、グリセロールの燃焼が開始するとき、空気中の酸素を用いた燃焼の維持は妨げられ、したがって、燃焼も自然に停止する。
【００５３】
本事例では、管１１０の多孔性は、有利には、抵抗素線により加熱することによって、ノズルを一定期間「中に入れる」ことによって得ることができることに留意されたい。従来ガラス繊維を結びつける樹脂は消費され、繊維間に空隙が生じ、多孔性につながる。同時に、シースの周りを保持する抵抗素線１２によって、樹脂の劣化に関わらず、機械的一体性が実現する。
【００５４】
必要な場合は、シース１１０を部分的に囲む金属管（不図示）などの構造要素が設けられ、アセンブリに十分な強度が付加される。
【００５５】
当然のことながら、本発明はいかなる意味においても、記載および表示した実施形態に限定されるものではなく、当業者は多数の変形および変更を挙げることができるであろう。
【図１】
2020513964.tif 000003
【図２】
2020513964.tif 000004
【図３】
2020513964.tif 000005
【図４Ａ】
2020513964.tif 000006
【図４Ｂ】
2020513964.tif 000007
【図５】
2020513964.tif 000008
【図６】
2020513964.tif 000009
【国際調査報告】
2020513964.tif 000010
2020513964.tif 000011
2020513964.tif 000012
2020513964.tif 000013
2020513964.tif 000014
2020513964.tif 000015